(57)【特許請求の範囲】
【請求項１】
デジタル回路部（２）と、これに接続されたアナログ回路部（４）と、特にデジタル回路部（２）から制御信号を受信する高周波部とを有し、デジタルおよびアナログ回路部（２、４）に対してそれぞれ別々に供給される電圧供給（３，５）を備えている電子回路、主に携帯無線機用の位相制御回路において、
デジタル回路部（２）に対する電圧供給（３）が、アナログ回路部（４）に対する電圧供給（５）よりも低い電位レベルに調整されており、
上記アナログ回路部（４）は、電流出力部（６）の互いに接続された、少なくとも２つの可変電流源回路（１３，１４，１５，１６）と、各電流源回路（１３，１４，１５，１６）に接続された参照電流発生器（１２）とを有し、
この参照電流発生器は、デジタル回路部（２）から供給される活性化信号（ｅｎｐｄｘ）により制御でき、
この活性化信号（ｅｎｐｄｘ）は、各電流源回路（１３，１４，１５，１６）に通電される参照電流（ｉｎｘ，ｉｐｘ）を、少なくとも２つの参照電流支線により生成するために、参照電流発生器（１２）の入力部に配置されたレベル変換機（２０）により、接地電位とデジタル回路部（２）における電圧供給（３）との間で切り替わる信号から、接地電位とアナログ回路部（４）に対する電圧供給（５）との間で切り替わる信号に変換され、
上記デジタル回路部（２）に配置され、活性化させる電流源回路（１３，１４，１５，１６）を少なくとも１つ選択する選択信号（ｐｓｅｌｎ）を生成するための選択装置を備えており、
上記選択信号（ｐｓｅｌｎ）が、各電流源回路（１３，１４，１５，１６）の入力部に位置する論理回路（３８，４１）に入力されており、
それぞれの電流源回路（１３，１４，１５，１６）の電流出力部（６）を制御するための、接地電位とアナログ回路部（４）に対する電圧供給（５）との間で切り替わる切り替え信号(ｕｐｎ，ｄｎｘ)を生成するために、この論理回路（３８，４１）に対し、接地電位とデジタル回路部（２）における電圧供給（３）との間で切り替わる信号を、接地電位とアナログ回路部（４）に対する電圧供給（５）との間で切り替わる信号に変換するレベル変換機（３９，４２）が下流側に接続されていることを特徴とする電子回路、主に携帯無線機用の位相制御回路。
【請求項２】
上記デジタル回路部（２）とアナログ回路部（４）との間に、デジタル回路部（２）によって生成された単数または複数の切り替え信号を高レベルに変換する、少なくとも１つのレベル変換器（２０，３９，４２）が接続されていることを特徴とする請求項１に記載の回路。
【請求項３】
上記電流源回路（１３〜１６）の出力部（６）と接続されており、好ましくはループフィルターの形状で、位相および／または周波数固定に調整された電圧制御発振器のための制御電圧発生に使用され、発振器の出力信号を、デジタル回路部（２）にある位相または位相／周波数検出器へ付与する制御電圧発生装置により特徴づけられる請求項１または２に記載の回路。
【請求項４】
参照電流発生器は、全参照電流支線を同時に遮断するための１つあるいは２つの電子スイッチ（２７，２８）を有し、上記スイッチ（２７，２８）が、レベル変換機（２０）の出力部（２３，２４）に接続されていることを特徴とする請求項１〜３のいずれかに記載の回路。
【請求項５】
上記レベル変換機（２０，３９，４２）は、それぞれ１つの、デジタル回路部（２）の供給電圧を付与された入力段階（２１，４３）を備え、
この入力段階にデジタル回路部（２）によって生成された切り替え信号が接続され、
入力段階と接続された、アナログ回路部（４）の高供給電圧（５）の付与された変換・出力段階（２２，４４）があり、
この出力段階の出力電圧は、入力側に接続された切り替え信号により接地電圧と高供給電圧（５）との間で切り替えられ、両支線の接地が結合されていることを特徴とする請求項１〜４のいずれかに記載の回路。
【発明の詳細な説明】
本発明は、デジタル回路部と、これに接続されたアナログ回路部とを有する電子回路に関し、主に、携帯無線機用の電子回路、および携帯無線機中の電子回路に関するものである。
【０００１】
高周波送信および受信回路において、位相制御回路（ＰＬＬ回路）を使用することは周知である。この位相制御回路（Ｐｈａｓｅｎｒｅｇｅｌｋｒｅｉｓｅ ）は、送信機および／または受信機の位相と、場合によっては周波数とを、要求される値に調整するものである。このため、送信または受信搬送周波数を生成する電圧制御発振器（ＶＣＯ）は、これに入力された電圧によって、基準周波数に頻繁に調整される。十分に大きな制御範囲（Ｓｔｅｕｅｒｕｎｇｓｈｕｂｓ）を形成するするためには、その大きさに応じた制御電圧範囲（Ｓｔｅｕｅｒｓｐａｎｎｕｎｇｓｈｕｂ）を用いることが望ましい。この範囲は、相応して高い供給電圧を必要とするものである。他方で、従来の信号処理は、例えば携帯無線機の中で、大部分はデジタル水準で行われる。この水準では、出力損失（Ｖｅｒｌｕｓｔｌｅｉｓｔｕｎｇ ）、発熱などを減少させるために、入力される供給電圧を低く（例えば２．７Ｖ）する傾向にある。しかし、供給電圧をこのように低くすると、高周波部分に対する制御性を如実に低くしてしまうので、波長調整領域が制限される。
【０００２】
米国特許公報第４５９８２１７号（ＵＳ−Ａ−４５９８２１７）に、位相制御回路のための位相／周波検出器が示されている。入力側のデジタル回路部は、出力側のアナログ回路に連結されている。デジタル回路部は、５Ｖの供給電圧を受けている。アナログ回路部は、その他の供給電圧を受けている。また、デジタル回路部からアナログ回路部に転送される信号を変換するために、レベル変換器を備えている。このレベル変換器は、電流源、および電流バランス回路（Ｓｔｒｏｍｓｐｉｅｇｅｌｓｃｈａｌｔｕｎｇｅｎ ）を備えている。
【０００３】
公開特許英文抄録（Ｐａｔｅｎｔ Ａｂｓｔｒａｃｔｓ ｏｆ Ｊａｐａｎ ）１９９６巻１０号（１９９６年１０月３１日；ＪＰ−Ａ−０８−１６２９５１） には、位相制御回路が示されている。この回路内では、荷電ポンプ（Ｌａｄｕｎｇｓｐｕｍｐｅ）が、位相制御ループに対する位相比較器の出力信号を変換するようになっている。米国特許公報第５６２３５２３号（ＵＳ−Ａ−５６２３５２３）に、更なる位相制御回路を示す。この回路では、デジタルで供給された上昇または下降ポンピング信号によって、荷電ポンプを駆動するようになっている。荷電ポンプは、他の供給電圧によって供給される電圧ブーストネットワーク（Ｓｐａｎｎｕｎｇ−Ｂｏｏｓｔ−Ｎｅｔｚｗｅｒｋ） によって駆動される。また、荷電ポンプは、ループフィルターを制御する。
【０００４】
本発明の課題は、デジタルおよびアナログ回路部における動作性能の良さにより特徴づけられる、主に携帯無線機用の電子回路を実現することである。
【０００５】
この課題は、請求項１に記載の特徴により解決される。発明の有利な構成を従属請求項に示す。
【０００６】
本発明では、デジタル回路部用とアナログ回路部用との供給電圧を異ならせることによって、各々に能率的な供給電圧レベルを設定すること、例えば、デジタル回路部に２．７Ｖ〜３Ｖを、アナログ回路部に５Ｖを設定することが可能である。デジタル回路部からアナログ回路部に通電された制御信号の振幅は、その供給電圧の範囲のみにおいて変化しうる。従って、特に、デジタルまたは／およびアナログ回路部の入力部または出力部に、制御信号電圧範囲（Ｓｔｅｕｅｒｓｉｇｎａｌｓｐａｎｎｕｎｇｓｈｕｂ）を他の回路部で必要な制御範囲に変換するレベル変換器を備えることが好ましい。
【０００７】
また、アナログ回路部は、上流側に配置された参照電流発生器を有する、可変電流源回路を備えていることが有利である。この参照電流発生器のＯＮ／ＯＦＦ状態は、デジタル回路部から供給される活性化信号によって切り換えられる。この活性化信号は、レベル変換器により、アナログ回路部の電圧供給の高レベル領域に変換される。電流源の出力部には、制御電圧発生ユニットが接続されていることが好ましい。このユニットは、周波数および／または位相の固定された、調整される電圧制御発振器の周波数制御用の制御電圧を発生させるためのものである。特にこれにより、アナログ回路部における電圧供給の高レベル範囲（ｈｏｅｈｅｒｅｎ Ｐｅｇｅｌｈｕｂ） で電圧制御発振器の操作が行われるので、高い制御領域を得られる。制御電圧発生装置は、望ましい制御電圧値に相当する充電および放電できる容量を有するループフィルターであることが好ましい。この場合、発振器出力信号を所定の参照信号と比較する位相比較機または位相／周波数検出器は、デジタル回路部の部材であることが好ましい。
【０００８】
また、レベル変換機が、可変電流源回路の制御電圧入力部の前に接続されるので、デジタル回路部から供給される制御信号は、電流源回路の高電圧レベル範囲に変換される。
【０００９】
また、アナログ回路部が、共通の電流出力端子に接続された、選択可能な複数の可変電流源回路を選択的に有している。これにより、単数または複数の選択信号による電流源回路の選択が可能となるので、実際に電流出力端子に通電される電流の強さをそれぞれ選択できる。
【００１０】
また、参照電流発生器は、それぞれの電流源回路に参照電流を通電できる複数の参照電流支線を有する。これにより、１つのレベル変換器が複数の参照電流支線の活性化を制御するのに使用されるので、参照電流発生器の前に配置されたレベル変換器は幾度も利用される。これにより、複数の電流源回路に同時に通電できるという望ましい可能性を得られる一方、必要な回路経費も減少する。
【００１１】
全参照電流支線は、レベル変換器に接続された、１つあるいは２つの電子的なスイッチにより、ＯＮ／ＯＦＦ状態を切り換えられるので、このために必要な全体的な回路経費は少なくなる。
【００１２】
レベル変換器は、低い供給電圧に接続された入力支線を有することが好ましい。この入力支線は、デジタル回路部の入力側で供給された制御切り替え信号により出力電位が変換されるものである。この入力支線は、高供給電圧に繋がっている変換支線と接続されている。このため、切り替え信号のレベルは、両方の支線に共通の接地電位と、高電圧電位との間で切り替えられる。
【００１３】
本発明による回路は、特に、ハイブリッド（アナログおよびデジタル）の、高周波発振器のための位相および／または周波数調整器、特に携帯無線機中のものに用いられる上記した利点を引き出す他のシステムにも使用される。
【００１４】
以下に、実施例に基づいて、図面を参照しながら本発明を詳細に説明する。
【００１５】
図１は、実施例の図式的なブロック線図を位相制御回路の形態で示す図である。図２は、位相制御回路中の電流源配線の全体図を示す図である。図３は、上流側にレベル変換器の接続された参照電流発生器を示す図である。図４は、上流側にレベル変換器の接続された電流源回路を示す図である。図５は、レベル変換器の詳細なブロック線図を示す図である。図６は、電流源回路の詳細なブロック線図を示す図である。
【００１６】
図１に示す位相制御回路１は、電圧供給３を受けるデジタル回路部２と、電圧供給３よりも高い電位を供給する電圧供給５（例えば２．７または３Ｖに対して５Ｖ）を受けるアナログ回路部４を含んでいる。アナログ回路部４は、ここでは、主に電流源配列により構成されており、図示しないループフィルターに接続された出力部６が、電圧制御発振器の後段に接続されている。この発振器は、送信または受信プロセス（Ｓｅｎｄｅ−ｏｄｅｒ Ｅｍｐｆａｎｇｓｖｏｒｇａｎｇ）のための高周波信号を発生し、その位相および／または周波数の状態は、デジタル回路部２にある位相比較装置または位相／周波数検出器により、参照信号と比較される。位相比較装置あるいは位相／周波数検出器の出力信号は、電圧制御された発振器を制御するため、アナログ回路部４へ接続される。この発振器は、広い制御領域および周波数調節領域を有するものである。
【００１７】
図２において非常に詳細に示す電源配列には、デジタル回路部２と接続されている５つの入力部７〜１１、１つの参照電流発生器１２、および４つの電流源回路１３〜１６がある。ここでは、電流源回路１３〜１６において、充電電流および放電電流が、８００μＡ，１００μＡ（２相），１２００μＡの異なる値をとるように設定されており、電流出力部が結合されて出力部６に接続されている。活性化される電流源回路１３〜１６は、その都度、電流源回路と選択的に接続された選択配線１７を介して選択される。電流源回路は、４つの支線によって入力部９に接続されており、この入力部を介して、デジタル回路部２によって必要に応じて選択される。さらに電流源回路１３〜１６は、それぞれ２つの参照電流配線１８，１９を経由して、参照電流発生器１２と選択的に接続されている。また、太線で示された配線１７，１８，１９の配線部は、それぞれ４つの支線の結合した配線を表している。
【００１８】
図３において、参照電流発生器１２を非常に詳細に示す。参照電流発生器は、入力部１０に接続されたレベル変換器２０を有する。このレベル変換器２０は、入力部１０に入力された活性化信号を切り換え信号に変換するものである。活性化信号は、参照電流発生器１２のＯＮ／ＯＦＦを切り換えるために使用され、また、そのレベルは接地電位とデジタル回路部３における正の供給電圧３との間で切り替わるようになっている。また、切り換え信号のレベルは、接地電位とアナログ回路部４のための供給電圧５の高レベルとの間で切り替わるようになっている。レベル変換器２０は、供給電圧３に接続された入力段階２１と、供給電圧５に繋がる変換・出力段階２２とを有している。入力段階および変換・出力段階の接地電位は、どの場合でも同一である。入力段階２１は、それぞれ転位電位（ｉｎｖｅｒｓｅｍ Ｐｏｔｅｎｔｉａｌ；接地電位または高供給電位）に接続された出力部を介して変換・出力段階２２の２つの平行な支線と接続されている。そして、入力段階２１は、そこに位置する電界効果トランジスターを、接地状態もしくは遮断状態にその都度切り替える。これにより、レベル変換器２０の相補的出力部２３，２４では、接地電位と供給電圧５の高電位値との間で変化する、切り替え信号が発生する。
【００１９】
参照電流発生器１２は、さらに、電流バランス回路（Ｓｔｒｏｍｓｐｉｅｇｅｌｓｃｈａｌｔｕｎｇｅｎ ）２５および電流バランス回路２６を備えている。電流バランス回路２５は、配線１９経由で、それぞれ割り当てられた、可変電流源回路１３〜１６に通電される４つの参照電流ｉｎｘ０，１，２，３を生成するためのものである。電流バランス回路２６は、配線１８経由で電流源回路１３〜１６へ通電される、４つの参照電流ｉｐｘ０，１，２，３を生成するためのものである。
【００２０】
端子１１を介して、デジタル回路部２は、例えば１００μＡの参照電流を電流バランス回路２６に付与する。電流バランス回路２５・２６間の図示した連結により、この参照電流は、電流バランス回路２５にも流れる。従って、そこでは、それぞれの電流回路１３〜１６のための、常に同一の正・負の電流が生成される。電流バランス回路２５の入力部に、レベル変換器２０の出力２３によって制御される電界効果トランジスターの形で、スイッチ２７が配置されている。同様に、電流バランス回路２６の入力部に、レベル変換器２０の出力２４によって制御される電界効果トランジスターの形で、スイッチ２８が配置されている。入力部１０に入力されている活性化信号が不活性化を示して低レベルであると、両スイッチ２７・２８は切り替えられ、電流バランス回路２５・２６が不活性となって参照電流を電流源回路１３〜１６へ伝送しないようになる。この遮断プロセスは、要約して２９で示される遮断トランジスターにより促進され、これにより、個別の電流配線１８，１９がそれぞれ逆の電圧電位に切り替えられる。入力部１１の参照電流は、電位に関係なく流される。このため、ここではレベル変換器を必要とせず、回路経費を減少できる。
【００２１】
図４に、図２で示した電流源回路１３を非常に詳細に示す。この構造は、電流源回路１４，１５および１６にも存在する。電流源回路１３は５つの入力部３１〜３５があり、これらは、図２で示すように、端子７〜９、および配線１８，１９（端子３２，３３）と接続されている。入力部３１には、電流源回路４０の出力段階のＯＮ／ＯＦＦを切り換える制御電圧がある。この出力段階は、高レベル側にある。同様に、入力部３５にも、接地電圧と低い供給電圧３との間で変化する制御電圧が入力されている。この電圧は、電流源回路４０の低レベル出力段階のＯＮ／ＯＦＦを切り換えるものである。入力部３１は、ＮＡＮＤ回路の形の論理回路３８に接続されている。ＮＡＮＤ回路の他方の入力部には、転位機３６経由で転位される選択信号が、端子３４から入力される。論理回路３８の出力信号は、回路構成を図５に示すレベル変換器３９に接続されている。このレベル変換器３９は、（電圧供給３で操作される）論理回路３８における出力信号の低電圧範囲を、供給電圧５の高電圧範囲に変換する。レベル変換器３９の出力信号は、電流源回路４０の入力部ｕｐｎに入力されている。
【００２２】
入力部３５に接続された制御信号は、ＮＯＲ回路４１の形の論理回路４１に入力されている。ＮＯＲ回路の他方の入力部には、入力部３４に供給された選択信号が接続されている。論理回路４１には、レベル変換器３９と同じ構成を有し、入力電圧をより高い電圧レベルに変換するレベル変換器４２が接続されている。レベル変換器４２の出力信号は、電流源回路４０の入力部ｄｎｘに入力されている。それぞれ端子３２・３３を介して供給もしくは放出された参照電流は、電流源回路４０の入力部ｉｐｘ，ｉｎｘに流される。
【００２３】
入力部３４の選択信号によって、論理回路３８，４１を同時に活性化または不活性化できるので、これらを入力および出力スイッチとして使用できる。選択の行われていない場合、入力部３１・３５に接続された制御信号は、レベル変換器３９，４２に入力されない。従って、これらと電流源回路４０とは遮断されている。しかしながら、参照電流は、引き続き電流源回路４０に伝送されている。これにより、電流源回路１３が選択された場合、電流源回路４０は、過渡現象（Ｅｉｎｓｃｈｗｉｎｇｖｏｒｇａｎｇｅ）の生じることなく、すぐに活性化される。同様のことが、当然、他の電流源回路１４，１５，１６にも当てはまる。
【００２４】
図５に示すレベル変換器３９（および４２）は、図２に示すレベル変換器２０と同様に入力段階４３を含んでおり、これに供給電圧３の低電位値内で切り替わる入力信号ｖｉｎが入力されている。入力段階４３は、低供給電圧３と接地電圧との間に接続されている。入力段階４３には、レベル変換器２０と同様に、変換・出力段階４４が接続されている。この変換・出力段階４４は、高供給電圧５と接地電圧（Ｍａｓｓｅ ）とに接続され、出力端子４５から出力された出力電圧を接地電位と端子５の高供給電圧レベルとの間で切り替える、つまり、電圧範囲を適合的に増大させる、変換・出力段階４４が接続されている。
【００２５】
図６において、電流源回路４０の構成を非常に詳細に示す。この構成自体は、欧州特許公報第０９０５５９８（ＥＰ０９０５５９８Ａ１）、特に図２およびその説明により周知である。繰り返しを避けるために、この印刷物における開示内容の全体が、本願に含まれているものとする。供給電圧に依存しない、広い供給電圧領域を強力に補償するこの電流源回路は、異なる供給電圧を使用する本発明において、特に好適に用いられる
【図面の簡単な説明】
【図１】実施例の図式的なブロック線図を位相制御回路の形態で示す図である。
【図２】位相制御回路中の電流源配線の全体図である。
【図３】上流側にレベル変換器の接続された参照電流発生器を示す図である。
【図４】上流側にレベル変換器の接続された電流源回路を示す図である。
【図５】レベル変換器の詳細なブロック線図である。
【図６】電流源回路の詳細なブロック線図である。
【図１】
0003623196.tif 000002
【図２】
0003623196.tif 000003
【図３】
0003623196.tif 000004
【図４】
0003623196.tif 000005
【図５】
0003623196.tif 000006
【図６】
0003623196.tif 000007